(57)【要約】【課題】ドライおしぼり体を包装袋に封入して備えたインスタントおしぼりにおいて、使用時に包装袋の外側を濡らすことなく、簡素な構成をもってドライおしぼり体を湿潤したおしぼりにする。【解決手段】紙や不織布などよりなる吸水性シート状体に対し折りや丸めなどの纏め処理と乾燥圧縮処理とを施して生成されたドライおしぼり体１と、芳香剤、殺菌剤、滅菌剤、抗菌剤、洗剤などのおしぼりＮ’に特性を付与する水溶性の乾燥物質よりなるおしぼり添加剤２とを、三方シール包装、四方シール包装又はピロータイプ包装によって生成されたヒートシール可能なフィルム又はシートよりなる包装袋３に封入してなる。【選択図】図１
0003121056.tif 000002
【実用新案登録請求の範囲】
【請求項１】
紙や不織布などよりなる吸水性シート状体に対し、折りや丸めなどの纏め処理と乾燥圧縮処理とを施して生成された、ドライおしぼり体と、
芳香剤、殺菌剤、滅菌剤、抗菌剤、洗剤などのおしぼりに特性を付与する水溶性の乾燥物質よりなる、おしぼり添加剤とを、
三方シール包装、四方シール包装又はピロータイプ包装によって生成されたヒートシール可能なフィルム又はシートよりなる包装袋に封入してなることを特徴とするインスタントおしぼり。
【請求項２】
包装袋の少なくとも一辺部の少なくとも一箇所に、開封用ノッチが形成されていることを特徴とする請求項１記載のインスタントおしぼり。
【請求項３】
包装袋に、ドライおしぼり体を適切に膨潤させるために必要な水の量の表示がなされていることを特徴とする請求項１又は請求項２記載のインスタントおしぼり。
【請求項４】
水の量が、一単位を飲料容器のキャップ一つの容積としたこの一単位又は二単位以上に相当する量であり、水の量の表示がこのキャップを模した図形の数によってなされていることを特徴とする請求項３記載のインスタントおしぼり。
【考案の詳細な説明】
【技術分野】
【０００１】
この考案は、使用時に開封してペットボトル入りの飲料水などを開封箇所から注ぎ込むことにより、即席で湿潤したおしぼりを生成提供し得るようにした、インスタントおしぼりに関する。
【背景技術】
【０００２】
圧縮された乾燥おしぼりを通水孔を備えたプラスチックフィルムによって包装してなるおしぼりがある。（特許文献１参照）
【０００３】
かかるおしぼりにあっては、前記通水孔によって包装状態の乾燥おしぼりを水につけたときの吸水量を制限するものではあるが、使用時には包装の内外を濡らしてしまうものであり、また、プラスチックに通水孔形成の加工を要するものである。また、乾燥おしぼりの吸水量を適切にコントロールするに所用の配慮を要させるものであった。さらに、かかるおしぼりでは、その使用時に、乾燥おしぼりを湿潤したおしぼりにできるに留まるものであった。
【特許文献１】特開２００４−３２１２６７号公報
【考案の開示】
【考案が解決しようとする課題】
【０００４】
この考案が解決しようとする主たる問題点は、ドライおしぼり体を包装袋に封入して備えたインスタントおしぼりにおいて、使用時に包装袋の外側を濡らすことなく、簡素な構成をもってドライおしぼり体を湿潤したおしぼりとすることができると共に、このおしぼりに滅菌などの特性を同時に付与できるようにする点にある。
【課題を解決するための手段】
【０００５】
前記課題を達成するために、この考案にあっては、インスタントおしぼりを、紙や不織布などよりなる吸水性シート状体に対し、折りや丸めなどの纏め処理と乾燥圧縮処理とを施して生成された、ドライおしぼり体と、
芳香剤、殺菌剤、滅菌剤、抗菌剤、洗剤などのおしぼりに特性を付与する水溶性の乾燥物質よりなる、おしぼり添加剤とを、
三方シール包装、四方シール包装又はピロータイプ包装によって生成されたヒートシール可能なフィルム又はシートよりなる包装袋に封入してなるものとした。
【０００６】
かかる構成によれば、使用時において包装袋を完全開封又は部分開封してこの開封箇所から包装袋内部に水を入れることで、この使用の現場において即席に湿潤したおしぼりを生成させることができる。包装袋の外側は水で濡れることがなく、生成したおしぼりの使用後は包装袋内におしぼりを入れ戻して廃棄までの間、例えば、鞄などの中に他の携行物を濡らすことなくしまっておくこともでできる。すなわち、このように入れられた水によってドライおしぼり体は膨潤し湿潤し展開使用可能なおしぼりとなる。使用前の携行段階では、ドライおしぼり体は最小限の体積と重さのものとしておくことができるので、この携行などにおいて嵩張らず扱いやすい。生成されたおしぼりには水溶性の乾燥物質によって滅菌などの機能を同時に付与することができる。また、かかるインスタントおしぼりは、三方シール包装などにより、容易かつ効率的に製造でき、廉価な提供が可能とされる。
【０００７】
前記包装袋の少なくとも一辺部の少なくとも一箇所に、開封用ノッチを形成させておくこともある。
【０００８】
このようにした場合、かかる開封用ノッチを利用して、使用時にインスタントおしぼりを構成する包装袋を容易に開封することができる。
【０００９】
前記包装袋に、ドライおしぼり体を適切に膨潤させるために必要な水の量の表示をしておくこともある。この場合にさらに、水の量を、一単位を飲料容器のキャップ一つの容積としたこの一単位又は二単位以上に相当する量とし、水の量の表示をこのキャップを模した図形の数によってなさしめるようにしておくこともある。
【００１０】
このようにした場合、包装袋を開封した後、開封箇所から水を必要以上に包装袋内に入れてしまうことがないようにすることができ、ドライおしぼり体を、必要以上に水を含むことのない使いやすいおしぼりにすることができる。特に、その量をキャップの数で表示した場合、分かりやすく包装袋内に入れ込む水の量を誤り難くすることができる。
【考案の効果】
【００１１】
この考案にかかるインスタントおしぼりによれば、使用時に包装袋の外側を濡らすことなく、簡素な構成をもってドライおしぼり体を湿潤したおしぼりとすることができると共に、このおしぼりに滅菌などの特性を同時に付与することができる。
【考案を実施するための最良の形態】
【００１２】
以下、図１ないし図５に基づいて、この考案を実施するための最良の形態について説明する。
【００１３】
なお、ここで図１および図２は、実施の形態にかかるインスタントおしぼりＮを、それぞれ示しており、また、図３は、開封箇所３ｅから内部にペットボトルＢの飲料水Ｗを注ぎ込んでいる様子を、また、図４は、図３の注ぎ込みによってドライおしぼり体１から生成されたおしぼりＮ’の一例を、示している。また、図５は、包装袋３に水の量の表示３ｇを付した例を示している。
【００１４】
この考案にかかるインスタントおしぼりＮは、使用時に開封してペットボトルＢに入った飲料水Ｗなどを開封箇所３ｅから注ぎ込むことにより、即席で湿潤したおしぼりＮ’を生成提供し得るものである。
【００１５】
かかるインスタントおしぼりＮは、ドライおしぼり体１と、おしぼり添加剤２と、これらを封入した包装袋３とから構成されている。
【００１６】
ドライおしぼり体１は、吸水性シート状体を、コンパクトに纏めてなる。図示の例では、かかるドライおしぼり体１は、円板状のタブレットのような形態に纏められている。すなわち、かかるドライおしぼり体１は、吸水性シート状体に対し、折りや丸めなどの纏め処理と乾燥圧縮処理とを施して生成されている。吸水性シート状体は、典型的には、展開状態において正方形又は長方形状となるように成形用意される。このように用意された吸水性シート状体を、徐々に小さく折りたたんだり、丸めたり、あるいは、折りたたみ、かつ、丸めこむと共に、加熱などによる乾燥と、圧縮とを施して、前記のようにコンパクトに纏める。かかる吸水性シート状体としては、典型的には、紙や、いわゆる不織紙などと称される厚手の紙、不織布などを用いることができる。織布や編布を用いることも可能である。
【００１７】
おしぼり添加剤２は、水溶性の乾燥物質よりなる。図示の例では、おしぼり添加剤２は錠剤状をなすように構成されている。かかるおしぼり添加剤２は、例えば、粉末状、粒状をなすように構成させることもできる。かかるおしぼり添加剤２は、おしぼりＮ’に、爽快感などを感じさせるにおいや、手などを拭いたときに清涼感を感じさせる冷たさ等や、殺菌作用などの特性を付与するものである。典型的には、かかるおしぼり添加剤２としては、芳香剤、殺菌剤、滅菌剤、抗菌剤、洗剤などが想定される。これらの二種以上を組み合わせておしぼり添加剤２とすることも予定される。例えば、芳香剤と滅菌剤とを混合しておしぼり添加剤２とすれば、使用時に生成されたおしぼりＮ’によって物品の表面を拭いた場合にその物品の周囲ににおいを生じさせることができると共に、その物品の表面に滅菌処理を施すことができる。
【００１８】
包装袋３は、三方シール包装、四方シール包装又はピロータイプ包装によって生成されたヒートシール可能なフィルム又はシート３ａより構成されている。かかるフィルム又はシート３ａとしては、熱可塑性プラスチックより構成されるか、この熱可塑性プラスチックよりなるシーラント層を備えたプラスチックフィルム３ａや、このプラスチックフィルムを含んだ複合フィルム３ａなどを用いることができる。
【００１９】
三方シール包装を例にとれば、このように構成されたフィルム３ａよりなる巻取り体（原反ロールなどと称される。）から連続的に繰り出されるフィルム３ａを、途中から二つ折りにし、二つ折りにされて搬送されるフィルム３ａの折った側３bと反対の側にこの搬送方向に沿った縦ヒートシール３ｃを施してフィルム３ａをいわば筒状にし、この筒状にされて搬送されるフィルム３ａに対しその搬送方向に交叉する向きの横ヒートシール３ｄを隣り合う横ヒートシール３ｄとの間に略等しい間隔を開けて施すことにより、包装袋３を生成できる。ドライおしぼり体１とおしぼり添加剤２とは、先行して施された横ヒートシール３ｄを充填底として後行する横ヒートシール３ｄが施されるまでの間に、筒状にされたフィルム内に三方ヒートシール包装機を構成するホッパーより一袋に封入される分のドライおしぼり体１とおしぼり添加剤２を送り込むことによりなされる。インスタントおしぼりＮは、つまり、ドライおしぼり体１とおしぼり添加剤２を封入した包装袋３は、連続的に生成され帯状をなす。このような帯状体に対し、さらに、横ヒートシール３ｄの幅内においてカッティングを施したり、ミシン目を施すことにより、これを一つづつのインスタントおしぼりＮに予め分けたり、その後容易に分けられるようにしておくことができる。前記縦ヒートシール３ｃは、典型的には、一端に周回フランジを備え、この周回フランジを他方のヒートロールの周回フランジに常時突き合わせるようにして回転される一対のヒートロールの周回フランジ間に、二つ折りにされたフィルムの折った側と反対の側を通すようにすることにより施される。また、前記横ヒートシール３ｄは、典型的には、軸線方向に沿った隆起部を一箇所以上備え、この隆起部を他方のヒートロールの隆起部に所定のタイミングで突き合わせるようにして回転される一対のヒートロールの隆起部間に、筒状にされたフィルムを通すようにすることにより施される。
【００２０】
この実施の形態にかかるインスタントおしぼりＮは、使用時において包装袋３を完全開封又は部分開封してこの開封箇所３ｅから包装袋３内部に水を入れることで、この使用の現場において即席に湿潤したおしぼりＮ’を生成させることができる。包装袋３の外側は水で濡れることがなく、生成したおしぼりＮ’の使用後は包装袋３内におしぼりＮ’を入れ戻して廃棄までの間、例えば、鞄などの中に他の携行物を濡らすことなくしまっておくこともでできる。すなわち、このように入れられた水によってドライおしぼり体１は膨潤し湿潤し展開使用可能なおしぼりＮ’となる。使用前の携行段階では、ドライおしぼり体１は最小限の体積と重さのものとしておくことができるので、この携行などにおいて嵩張らず扱いやすい。生成されたおしぼりＮ’には水溶性の乾燥物質によって滅菌などの機能を同時に付与することができる。また、かかるインスタントおしぼりＮは、三方シール包装などにより、容易かつ効率的に製造でき、廉価な提供が可能とされる。
【００２１】
また、この実施の形態にあっては、インスタントおしぼりＮを構成する包装袋３の少なくとも一辺部の少なくとも一箇所に、開封用ノッチ３ｆが形成されている。
【００２２】
図示の例では、三方シール包装によって生成された包装袋３の縦ヒートシール３ｃによって封止された辺部における、上下の横ヒートシール３ｄによって封止された辺部の一方に偏った位置に、この辺部の縁からこの辺部の範囲内おいて切り込まれた開封用ノッチ３ｆが形成されている。
【００２３】
これにより、この実施の形態にあっては、この開封用ノッチ３ｆを利用して、使用時にインスタントおしぼりＮを構成する包装袋３を容易に開封できるようになっている。
【００２４】
図５は、かかるインスタントおしぼりＮを構成する包装袋３に、ドライおしぼり体１を適切に膨潤させるために必要な水の量の表示３ｇを印刷などにより付した例を示している。
【００２５】
具体的には、この例にあっては、かかる水の量が、一単位を飲料容器のキャップ一つの容積としたこの一単位又は二単位以上に相当する量であり、水の量の表示３ｇがこのキャップを模した図形３ｈの数によってなされている。
【００２６】
例えば、ドライおしぼり体１を適切に膨潤させるために必要な水の量が、キャップ２杯分である場合には、このキャップを模した図形３ｈを二つ包装袋３に表示すると共に、開封後はこのキャップを利用してその分の水を包装袋３内に入れる旨の説明文を包装袋３に記載させておく。
【００２７】
このようにした場合、包装袋３を開封した後、開封箇所３ｅから水を必要以上に包装袋３内に入れてしまうことがないようにすることができ、ドライおしぼり体１を、必要以上に水を含むことのない使いやすいおしぼりＮ’にすることができる。特に、その量をキャップの数で表示していることから、分かりやすく包装袋３内に入れ込む水の量を誤り難くすることができる。かかるキャップは、一般的に良く販売され携行されることも多いペットボトルＢのキャップとしておくことが好ましい。
【図面の簡単な説明】
【００２８】
【図１】インスタントおしぼりＮの正面構成図
【図２】図１におけるＡ−Ａ線断面図
【図３】包装袋３の開封状態を示した斜視構成図
【図４】おしぼりＮ’の正面構成図
【図５】インスタントおしぼりＮの他の構成例を示した正面構成図
【符号の説明】
【００２９】
１  ドライおしぼり体
２  おしぼり添加剤
３  包装袋
３ａ  フィルム又はシート
Ｎ  インスタントおしぼり
【図１】
0003121056.tif 000003
【図２】
0003121056.tif 000004
【図３】
0003121056.tif 000005
【図４】
0003121056.tif 000006
【図５】
0003121056.tif 000007